【手続補正書】
【提出日】平成16年10月7日(2004.10.7)
【手続補正１】
【補正対象書類名】明細書
【補正対象項目名】特許請求の範囲
【補正方法】変更
【補正の内容】
【特許請求の範囲】
【請求項１】
水不溶性の分子又は粒子を水中で分散させるための、耐久性、フィルム形成性、水分散性ポリマーであって、以下の式
【化１】
[(A)ｍ(B)ｎ(C)ｐ(D)ｑ(E)ｒ]ｘ
〔式中、
A = 単独重合(homopolymerized)されて固相になる時、−150℃〜＋25℃のガラス転移温度(Ｔｇ)を有する部分から選択される、改良された耐久性フィルム形成特性(durable, film-forming properties)に寄与する少なくとも１つの疎水性成分；
B = 単独重合されて固相になる時、25℃を超えるＴｇを有する前記ポリマーの疎水性成分のＴｇを調整するのに用いられる、少なくとも１つの疎水性部分；
C = 水溶性モノマーを含む、少なくとも１つの親水性成分；
D = 少なくとも１つのUV吸収体；
E = 水溶性又は水分散性である少なくとも１つの極性官能基を有する少なくとも１つの部分；
m = 5〜95重量％；
n = 5〜95重量％；
p = 0〜60重量％；
q = 0〜50重量％；
r = 0〜40重量％；
m ＋ n ＋ p ＋ q ＋ r = 100重量％；且つ
x = 1〜100,000、である〕で表され、疎水性部分及び親水性部分の両方を有するか、又は疎水性部分のみを有し且つ界面活性剤と結合してポリマー／界面活性剤系を形成しており、それによって前記ポリマー又は前記ポリマー／界面活性剤系は、脱水されると、本質的に水に耐性のあるフィルムを水から形成させることができ、且つ前記ポリマーは、−25〜＋110℃の範囲のＴｇを有し、且つ、1,000〜2,000,000の間にある分子量（重量平均）を有するポリマー。
【請求項２】
前記A部分が、
【化２】
CR１R２＝C(R３)R４R５
〔式中、
R１及びR２は、独立に、水素、ハロゲン、アルキル、アリール、又は置換アルキル又はアリール、又はビニルブチラールであり、
R３は、水素、ハロゲン、飽和又は不飽和アルキル、アルコキシ、アリール、又は置換アルキル、アルコキシ、又はアリールであり、
R４は、直接結合、O、CO、NH、ハロゲン、飽和又は不飽和アルキル、アリール、又は置換アルキル、アリール、又はCNであり、
R５は、（R４が、アルキル、アリール、又は置換アルキル又はアリールである場合）存在しないか、又は直接結合、水素、NH、O、アルキル、アルキレン、アリール、置換アルキル、アルキレン、もしくはアリールであり、且つ
R６は、（R４が、アルキル、アリール、又は置換アルキル又はアリールである場合、又はR５が、水素、アルキル、アリール、又は置換アルキル又はアリールである場合）存在しないか、又はNH２、飽和又は不飽和アルキル、アルコキシ、アリール、アリールオキシ、置換アルキルもしくはアリールであり、
前記アルキル、アルキレン、アリール、アルコキシ及びアリールオキシは、各々、１個を超え且つ40個未満の炭素原子を含む〕である、請求項１に記載のポリマー。
【請求項３】
前記B部分が、
【化３】
CR１R２＝C(R３)R"４R"５R"６
〔式中、
R１及びR２は、独立に、水素、ハロゲン及びビニルブチラールから選択され、
R３は、水素、ハロゲン、飽和又は不飽和アルキル、アルコキシ、アリール、又は置換アルキル、アルコキシ又はアリールであり、
R"４は、直接結合、Ｏ、CO、NH、ハロゲン、飽和又は不飽和アルキル、アリール、又は置換アルキル、アリール、又はCNであり、
R"５は、（R４が、アルキル、アリール、又は置換アルキル又はアリールである場合）存在しないか、又は直接結合、水素、NH、Ｏ、アルキル、アルキレン、アリール、又は置換アルキル、アルキレン又はアリールであり、且つ
R"６は、（R４が、アルキル、アリール、又は置換アルキル又はアリールであるか、又はR５が、水素、アルキル、アリール、又は置換アルキル又はアリールである場合）存在しないか、又はNH２、飽和又は不飽和アルキル、アルコキシ、アリール、アリールオキシ、又は置換アルキル、又はアリールであり、
前記アルキル、アルキレン、アリール、アルコキシ及びアリールオキシは、各々、１から40個の炭素原子を有し、
R１とR２及びR２とR３は、各々、環を形成することができ、且つ、R"４とR"５は、窒素又は酸素を介して環を形成し得る〕である、請求項１に記載のポリマー。
【請求項４】
前記C部分が、
【化４】
(a)
2001521951.tif 000001
〔式中、
R１は、Ｈ、ハロゲン、アルキル、アリール、又は置換アルキル又はアリール；
R２は、直接結合、Ｏ、CO、NH、COO、又はCONH；
R３は、OH、(CH２CH２O)ｙR４、(CH２CH(CH３)O)ｙR４、(CH２CH(C２H５)O)ｙR４、SH、(CH２CH２S)ｙR４、(CH２CH(CH３)S)ｙR４、又は(CH２CH(C２H５)S)ｙR４；
ｙは、1から200；且つ
R４は、アルキル、アリール、置換アルキル又はアリール〕；
【化５】
(b)
2001521951.tif 000002
〔式中、
R１とR２は、独立に、Ｈ、ハロゲン、アルキル、アリール、及び置換アルキル及びアリールから選択され、前記アルキルとアリールは、各々、２から40個の炭素原子を含む〕；
【化６】
(c)
2001521951.tif 000003
〔式中、
R１とR２は、それぞれ、Ｈ、ハロゲン、アルキル、アリール、及び置換アルキル及びアリールから選択される〕；
【化７】
(d)
2001521951.tif 000004
〔式中、
R１は、Ｈ、ハロゲン、アルキル、アリール、又は置換アルキル又はアリール；且つ
R２とR３は、それぞれ、アルキル、アリール、及び置換アルキル及びアリールから選択されるか又は脂肪族又は芳香族のいずれかの環を形成し得る〕、
から成る群から選択される、請求項１に記載のポリマー。
【請求項５】
前記D部分が、
【化８】
2001521951.tif 000005
〔式中、
R１は、Ｈ、アルキル、アリール、又は置換アルキル又はアリール；
R２は、Ｏ又はNH；
R３は、
【化９】
2001521951.tif 000006
から成る群から選択される〕である、請求項１に記載のポリマー。
【請求項６】
前記E部分が、
【化１０】
(a)          CH(R１)＝C(R２)R３COOH
〔式中、
R１は、Ｈ、COOH、COOR４；
R２は、Ｈ、ハロゲン、アルキル、アリール、アルコキシル、又は置換アルキル、アリール又はアルコキシル；
R３は、直接結合、アルキレン、アリーレン又は置換アルキレン又はアリーレン；且つ
R４は、アルキル、アリール、又は置換アルキル又はアリール〕；
【化１１】
(b)            CH２＝CHR１NR２R３
〔式中、
R１は、アルキレン、アリーレン又は置換アルキレン、アリーレン、又はSO２；且つ
R２とR３は、独立に、Ｈ、アルキル、アリール、及び置換アルキル、アリール及びアルコキシルから選択されるか、又は脂肪族又は芳香族のいずれかの環を形成し得る〕；
【化１２】
(c)            ｙ(CH２＝CHR１COO−)Ｍｙ＋
〔式中、
R１は、アルキレン、アリーレン、置換アルキレン又はアリーレン；
ｙは、1から4；且つ
Ｍｙは、NH４＋、Li＋、Na＋、K＋、Ca２＋、Mg２＋、Al３＋、Ti４＋、トリエチルアンモニウム、ジエチルアンモニウム、及びピリリジニウム〕；
【化１３】
(d)        ｚ(CH２＝CHR１N＋R２R３R４)Ｘｚ−
〔式中、
R１は、アルキレン、アリーレン、置換アルキレン又はアリーレン、COO、又は窒素含有環(cyclic ring)；
R２、R３、及びR４は、独立に、Ｈ、アルキル、アリール、アルコキシル、及び置換アルキル、アリール、及びアルコキシルから選択され；
ｚは、１から４；且つ
Ｘは、ハロゲン、BF４、PF６、ClO４、SCN、CNO、CNS〕；
【化１４】
(e)
2001521951.tif 000007
〔式中、
R１は、Ｈ、アルキル、アリール、アルコキシル、置換アルキル、アリール又はアルコキシル；
R２は、直接結合、アルキレン、アリーレン又は置換アルキレン又はアリーレン；
ｚは、１から４；且つ
Ｍｚ＋は、NH４＋、Li＋、Na＋、K＋、Ca２＋、Mg２＋、Al３＋、Ti４＋、トリエチルアンモニウム、ジエチルアンモニウム、ピリリジニウムである〕；
【化１５】
(f)
2001521951.tif 000008
〔式中、
R１は、Ｈ、アルキル、アリール、アルコキシル、置換アルキル、アリール又はアルコキシル；
R２は、直接結合、COOR３、アリーレン、アルキレン、又は-CONHR３；
R３は、アルキレン、アリーレン、又は置換アルキレン又はアリーレン、又はフルオロアルキレン；
ｚは、１から４；且つ
Ｍｚ＋は、NH４＋、Li＋、Na＋、K＋、Ca２＋、Mg２＋、Al３＋、Ti４＋〕；
(g)下記構造を有するスルホニウム塩：
【化１６】
2001521951.tif 000009
〔式中、
R１は、-Ｈ、ハロゲン、アルキル、又はアリール；
R２は、＞CO、-O-；
R３は、直接結合、＞NH；
R４は、アルキル又はアリール；且つ
Ｘは、Cl、Br、BF４、ClO４、I、又はNO３〕；
(h)下記構造を有するカルボニウム塩：
【化１７】
2001521951.tif 000010
〔式中、
R１は、-Ｈ、ハロゲン、アルキル、又はアリール；
R２は、＞CO、-Ｏ-；
R３は、直接結合、＞NH、アルキレン、又はアリーレン；
R４とR５は、それぞれ、アルキル又はアリールから選択され；且つ
Ｘは、SbF５−、FSO３−〕；
(i)下記構造を有するピリリニウム塩又はチオピリリニウム塩：
【化１８】
2001521951.tif 000011
〔式中、
Ｙは、Ｏ又はＳ；
R１は、-H、ハロゲン、アルキル、又はアリール；
R２は、＞CO、-O-；
R３は、直接結合、＞NH、アルキレン、又はアリーレン；
Ｘは、Cl、Br、I、ClO４又はBF４〕；及び
(j)テトラゾリウム塩
から成る群から選択される、請求項１に記載のポリマー。
【請求項７】
前記界面活性剤が、陰イオン性界面活性剤、陽イオン性界面活性剤、非イオン性界面活性剤、及び両性イオン性界面活性剤から成る群より選択される、請求項１記載のポリマー。
【請求項８】
前記ポリマーが、（ヘキシルアクリレート）４０（メチルメタクリレート）４０（ポリ（エチレングリコール）メチルエーテルアクリレート、mw=404）２０；（ヘキシルアクリレート）３０（メチルメタクリレート）５０（ポリ（エチレングリコール）メチルエーテルアクリレート、mw=404）２０；（ヘキシルアクリレート）２０（メチルメタクリレート）６０（ポリ（エチレングリコール）メチルエーテルアクリレート、mw=404）２０；（ヘキシルアクリレート）４０（メチルメタクリレート）４０（ポリ（エチレングリコール）メチルエーテルアクリレート、mw=2054）２０；（ヘキシルアクリレート）３０（メチルメタクリレート）５０（ポリ（エチレングリコール）メチルエーテルアクリレート、mw=2054）２０；（ヘキシルアクリレート）２０（メチルメタクリレート）６０（ポリ（エチレングリコール）メチルエーテルアクリレート、mw=2054）２０；（ヘキシルアクリレート）４０（メチルメタクリレート）４０（ポリ（エチレングリコール）メチルエーテルアクリレート、mw=218）２０；（ヘキシルアクリレート）３０（メチルメタクリレート）５０（ポリ（エチレングリコール）メチルエーテルアクリレート、mw=218）２０；（ヘキシルアクリレート）２０（メチルメタクリレート）６０（ポリ（エチレングリコール）メチルエーテルアクリレート、mw=218）２０；（エチルアクリレート）４０（メチルメタクリレート）４０（ポリ（エチレングリコール）メチルエーテルアクリレート、mw=404）２０；（プロピルアクリレート）４０（メチルメタクリレート）４０（ポリ（エチレングリコール）メチルエーテルアクリレート、mw=404）２０；（ブチルアクリレート）４０（メチルメタクリレート）４０（ポリ（エチレングリコール）メチルエーテルアクリレート、mw=404）２０；（オクタデシルアクリレート）４０（メチルメタクリレート）４０（ポリ（エチレングリコール）メチルエーテルアクリレート、mw=404）２０；（ラウリルメタクリレート）４０（メチルメタクリレート）４０（ポリ（エチレングリコール）メチルエーテルアクリレート、mw=404）２０；（オクタデシルメタクリレート）４０（メチルメタクリレート）４０（ポリ（エチレングリコール）メチルエーテルアクリレート、mw=404）２０；（ヒドロキシオクタデシルアクリレート）４０（メチルメタクリレート）４０（ポリ（エチレングリコール）メチルエーテルアクリレート、mw=404）２０；（ヒドロキシエチルアクリレート）４０（メチルメタクリレート）４０（ポリ（エチレングリコール）メチルエーテルアクリレート、mw=404）２０；（ヒドロキシラウリルメタクリレート）４０（メチルメタクリレート）４０（ポリ（エチレングリコール）メチルエーテルアクリレート、mw=404）２０；（フェネチルアクリレート）４０（メチルメタクリレート）４０（ポリ（エチレングリコール）メチルエーテルアクリレート、mw=404）２０；（６-フェニルヘキシルアクリレート）４０（メチルメタクリレート）４０（ポリ（エチレングリコール）メチルエーテルアクリレート、mw=404）２０；（シクロヘキシルアクリレート）４０（メチルメタクリレート）４０（ポリ（エチレングリコール）メチルエーテルアクリレート、mw=404）２０；（アクリルオキシプロピルメチルジメトキシシラン��３０（メチルメタクリレート）５０（ポリ（エチレングリコール）メチルエーテルアクリレート、mw=404）２０；（N,N-ジヘキシルアクリルアミド）２０（メチルメタクリレート）６０（ポリ（エチレングリコール）メチルエーテルアクリレート、mw=404）２０；（アミノプロピルアクリレート）４０（メチルメタクリレート）４０（ポリ（エチレングリコール）メチルエーテルアクリレート、mw=2054）２０；（アミノヘキシルアクリレート）３０（メチルメタクリレート）５０（ポリ（エチレングリコール）メチルエーテルアクリレート、mw=2054）２０；（アミノラウリルメタクリレート）２０（メチルメタクリレート）６０（ポリ（エチレングリコール）メチルエーテルアクリレート、mw=2054）２０；（N,N-ジメチルアミノエチルアクリレート）４０（メチルメタクリレート）４０（ポリ（エチレングリコール）メチルエーテルアクリレート、mw=218）２０；（酢酸ビニル）３０（メチルメタクリレート）５０（ポリ（エチレングリコール）メチルエーテルアクリレート、mw=218）２０；（ビニルブチルエーテル）２０（メチルメタクリレート）６０（ポリ（エチレングリコール）メチルエーテルアクリレート、mw=218）２０；（ヘキシルアクリレート）４０（スチレン）４０（ポリ（エチレングリコール）メチルエーテルアクリレート、mw=404）２０；（ヘキシルアクリレート）３０（ジメチルスチレン）５０（ポリ（エチレングリコール）メチルエーテルアクリレート、mw=404）２０；（ヘキシルアクリレート）２０（トリフルオロメチルスチレン）６０（ポリ（エチレングリコール）メチルエーテルアクリレート、mw=404）２０；（ヘキシルアクリレート）４０（テトラフルオロプロピルメタクリレート）４０（ポリ（エチレングリコール）メチルエーテルアクリレート、mw=2054）２０；（ヘキシルアクリレート）３０（グリシジルメタクリレート）５０（ポリ（エチレングリコール）メチルエーテルアクリレート、mw=2054）２０；（ヘキシルアクリレート）２０（グリシジルアクリレート）６０（ポリ（エチレングリコール）メチルエーテルアクリレート、mw=2054）２０；（ヘキシルアクリレート）４０（マレイミド）４０（ポリ（エチレングリコール）メチルエーテルアクリレート、mw=218）２０；（ヘキシルアクリレート）５０（n-ヘキシルマレイミド）３０（ポリ（エチレングリコール）メチルエーテルアクリレート、mw=218）２０；（ヘキシルアクリレート）４０（n-ビニルマレイミド）４０（ポリ（エチレングリコール）メチルエーテルアクリレート、mw=218）２０；（ヘキシルアクリレート）４０（メチルメタクリレート）４０（ビニルピロリドン）２０；（ヘキシルアクリレート）４０（メチルメタクリレート）４０（ビニル４-メチルピロリドン）２０；（ヘキシルアクリレート）４０（メチルメタクリレート）４０（ビニルイミダゾール）２０；（ヘキシルアクリレート）４０（メチルメタクリレート）４０（アクリルアミド）２０；（ヘキシルアクリレート）４０（メチルメタクリレート）４０（４-メチルアクリルアミド）２０；（ヘキシルアクリレート）４０（メチルメタクリレート）３０(d1)１０（ポリ（エチレングリコール）メチルエーテルアクリレート、mw=404）２０；（ヘキシルアクリレート）４０（メチルメタクリレート）３��(d1)１０（ポリ（エチレングリコール）メチルエーテルアクリレート、mw=404）２０；（ヘキシルアクリレート）４０（メチルメタクリレート）３０(d1)１０（ポリ（エチレングリコール）メチルエーテルアクリレート、mw=404）２０；（ヘキシルアクリレート）４０（メチルメタクリレート）３０(d1)１０（ポリ（エチレングリコール）メチルエーテルアクリレート、mw=404）２０；（ヘキシルアクリレート）４０（メチルメタクリレート）３０(d4)１０（ポリ（エチレングリコール）メチルエーテルアクリレート、mw=404）２０；（ヘキシルアクリレート）４０（メチルメタクリレート）３０(d4)１０（ポリ（エチレングリコール）メチルエーテルアクリレート、mw=404）２０；（ヘキシルアクリレート）４０（スチレン）３０(d1)１０（ポリ（エチレングリコール）メチルエーテルアクリレート、mw=404）２０；（ヘキシルアクリレート）４０（スチレン）３０(d1)１０（ビニルピロリドン）２０；（ヘキシルアクリレート）５０（メチルメタクリレート）４５（ポリ（エチレングリコール）メチルエーテルアクリレート、mw=404）５；（ヘキシルアクリレート）５０（メチルメタクリレート）４０（ポリ（エチレングリコール）メチルエーテルアクリレート、mw=404）１０；（ヘキシルアクリレート）５０（メチルメタクリレート）３５（ポリ（エチレングリコール）メチルエーテルアクリレート、mw=404）１５；（メチルメタクリレート）４０（ヘキシルアクリレート）６０／界面活性剤；（メチルメタクリレート）４０（ブチルアクリレート）６０／界面活性剤；及び（スチレン）３０（オクタデシルアクリレート）７０／界面活性剤から成る群より選択され、ここでd1及びd4は、
【化１９】
2001521951.tif 000012
〔式中、
R１は、Ｈ；R２は、Ｏ；且つ、R３は、d1においては、
【化２０】
2001521951.tif 000013
及び、d4においては、
【化２１】
2001521951.tif 000014
である〕で与えられるUV吸収体である、請求項１に記載のポリマー。
【請求項９】
前記ポリマーが、（ヘキシルアクリレート）４０（メチルメタクリレート）４０（アクリル酸）２０；（ヘキシルアクリレート）６０（メチルメタクリレート）２０（メタクリル酸）２０；（ヘキシルアクリレート）４０（メチルメタクリレート）４０（マレイン酸）２０；（ヘキシルアクリレート）４０（メチルメタクリレート）４０（ビニル安息香酸）２０；（ヘキシルアクリレート）４０（メチルメタクリレート）４０（ビニルスルホンアミド）２０；（ヘキシルアクリレート）４０（メチルメタクリレート）４０（ナトリウムアクリレート）２０；（ヘキシルアクリレート）４０（メチルメタクリレート）４０（アンモニウムアクリレート）２０；（ヘキシルアクリレート）４０（メチルメタクリレート）４０（アンモニウムメタクリレート）２０；（エチルアクリレート）４０（メチルメタクリレート）４０（アクリルアミドプロパントリエチルアンモニウムクロリド）２０；（プロピルアクリレート）４０（メチルメタクリレート）４０（ビニルピロリジンヒドロクロリド）２０；（ブチルアクリレート）４０（メチルメタクリレート）４０（ナトリウムビニルホスフェート）２０；（ヘキシルアクリレート）４０（メチルメタクリレート）４０（ナトリウムスチレンスルホネート）２０；（ヘキシルアクリレート）３０（メチルメタクリレート）５０（ナトリウムアクリルアミドプロパンスルホネート）２０；（スチレン）７５（アクリル酸）２０(d1)５；（スチレン）５５（アクリル酸）４０(d4)５；（スチレン）４０（メチルメタクリレート）４０（アクリル酸）２０；（エチルアクリレート）５５（アクリル酸）４０(d1)５；（スチレン）４０（エチルアクリレート）４０（アクリル酸）２０；（メチルメタクリレート）４０（ヘキシルアクリレート）５５(d1)５；（メチルメタクリレート）４０（ブチルアクリレート）５５(d1)５；（スチレン）３０（オクタデシルアクリレート）６５(d1)５；及び（メチルメタクリレート）３２（ヘキシルアクリレート）４６（ポリ（エチレングリコール）メチルエーテルアクリレート、mw=404）１２（アクリル酸）１０から成る群より選択され、ここでd1及びd4は、
【化２２】
2001521951.tif 000015
〔式中、
R１は、Ｈ；R２は、Ｏ；且つR３は、d1においては、
【化２３】
2001521951.tif 000016
及び、d4においては、
【化２４】
2001521951.tif 000017
である〕で与えられるUV吸収体である、請求項１に記載のポリマー。